(57)【特許請求の範囲】
【請求項１】
一定量のオガを栽培袋に投入する定量供給部と、栽培袋に投入されたオガを上方より押圧するオガ押し込め部とからなるオガ詰め機の手前に設置され、栽培袋を積み重ねてストックする袋ストック部と、この袋ストック部の上方に、上下および左右に移動自在に支持された袋搬送部と、前記袋ストック部の横に配置され、袋搬送部から搬送されてきた栽培袋を前進させて、先端の開口部を上方に湾曲させる袋前進部と、この袋前進部の上方に配置され、栽培袋の開口部を両側から挟持して、オガ詰め機のオガ押し込め部の下方に搬送し、ここで栽培袋の開口部を開く袋搬送開口部とからなることを特徴とするオガ詰め機の袋供給装置。
【請求項２】
袋前進部が、袋搬送部から搬送されてきた栽培袋を載せた状態で、栽培袋の後端を押圧して前進させる押圧部と、栽培袋の先端側を回動させて上方に湾曲させる回動板とからなることを特徴とする請求項１記載のオガ詰め機の袋供給装置。
【発明の詳細な説明】
【技術分野】
【０００１】
本発明は、オガ詰め機の袋供給装置に関するものである。
【背景技術】
【０００２】
近年きのこの栽培に、オガをプラスチック製の栽培袋に詰めて、これを殺菌してからきのこ菌を接種し、この後、培養室に保管して成長させることが行なわれている。この工程で、先ずオガをプラスチック製の栽培袋に詰める作業があるが、これはオガ詰め機により一定量のオガを栽培袋に詰めている。
【０００３】
この従来のオガ詰め機は、オガを貯蔵するタンクからコンベアで搬送されてきたオガを、ホッパーの上方から投入し、このホッパーの下部に設けられた定量供給部の下に、作業者が栽培袋を手に持って開口部を広げてセットする。この後、オガ詰め機から一定量のオガを栽培袋に投入した後、オガ押し込め部のシリンダーの下部に取付けた可動押え枠を、栽培袋に投入されたオガの上方より押圧してオガ詰めすることが行なわれている。
【０００４】
このように従来のオガ詰め機は、オガの定量投入と、押し込め作業は自動的に行なうことができるが、栽培袋を作業者が１枚ずつ手で広げてセットしているので、このオガ詰め作業と、詰められた栽培袋の搬出作業に少なくとも２人の作業者が必要であり、小規模のきのこ栽培農家では、２人揃わないと効率よく作業できない問題があった。
【発明の開示】
【発明が解決しようとする課題】
【０００５】
本発明は上記問題を改善し、自動的に栽培袋を広げてオガ詰め機に供給してオガ詰めし、１人でもオガ詰め作業をすることができ、作業性を大幅に向上させたオガ詰め機の袋供給装置を提供するものである。
【課題を解決するための手段】
【０００６】
本発明の請求項１記載のオガ詰め機の袋供給装置は、一定量のオガを栽培袋に投入する定量供給部と、栽培袋に投入されたオガを上方より押圧するオガ押し込め部とからなるオガ詰め機の手前に設置され、栽培袋を積み重ねてストックする袋ストック部と、この袋ストック部の上方に、上下および左右に移動自在に支持された袋搬送部と、前記袋ストック部の横に配置され、袋搬送部から搬送されてきた栽培袋を前進させて、先端の開口部を上方に湾曲させる袋前進部と、この袋前進部の上方に配置され、栽培袋の開口部を両側から挟持して、オガ詰め機のオガ押し込め部の下方に搬送し、ここで栽培袋の開口部を開く袋搬送開口部とからなることを特徴とするものである。
【０００７】
本発明の請求項２記載のオガ詰め機の袋供給装置は、袋前進部が、袋搬送部から搬送されてきた栽培袋を載せた状態で、栽培袋の後端を押圧して前進させる押圧部と、栽培袋の先端側を回動させて上方に湾曲させる回動板とからなることを特徴とするものである。
【発明の効果】
【０００８】
本発明に係る請求項１記載のオガ詰め機の袋供給装置によれば、栽培袋を積み重ねてストックする袋ストック部から、袋搬送部により袋前進部に搬送し、ここで栽培袋を前進させて、先端の開口部を上方に湾曲させてから袋搬送開口部で栽培袋の開口部を両側から挟持して、オガ詰め機まで搬送して、ここで開口部を自動的に広げてオガ詰めするので１人でも作業することができる。
【０００９】
また請求項２記載のオガ詰め機の袋供給装置によれば、袋前進部の押圧部で栽培袋の後端を押圧して前進させて、この先端側に設けた回動板により栽培袋の先端側を回動させて上方に湾曲させるので袋搬送開口部で確実に保持することができる。
【発明を実施するための最良の形態】
【００１０】
以下本発明の実施の一形態を図１ないし図６を参照して詳細に説明する。図において１はオガ詰め機で、図示しないオガタンクから、コンベアーで搬送されてきたオガ２を栽培袋３に投入する定量供給部４と、栽培袋３に投入されたオガ２を上方より押圧するオガ押し込め部５とから構成されている。
【００１１】
このオガ詰め機１の手前に袋供給装置７が設置されている。この袋供給装置７は栽培袋３を積み重ねてストックする袋ストック部８と、この袋ストック部８の上方に、上下および左右に移動自在に支持された袋搬送部９と、袋ストック部８の横に配置され、袋搬送部９から搬送されてきた栽培袋３を前進させて、先端の開口部を上方に湾曲させる袋前進部１０と、この袋前進部１０の上方に配置され、栽培袋３の開口部を両側から挟持して、オガ押し込め部５の下方に搬送し、ここで栽培袋３の開口部を開く袋搬送開口部１１とから構成されている。
【００１２】
前記袋ストック部８は、ケース１３の底板１４がモータ１５にギア１６を介して接続したボールねじ１７に昇降自在に支持され、底板１４に載せた栽培袋３を順次上昇させるようになっている。また、袋ストック部８の上方に設けられた袋搬送部９は、左右に移動する横動シリンダー１８の先端に、昇降シリンダー１９が取付けられ、この下端に図２に示すように、ブラケット２０が接続され、ここに図示しない吸引ブロアーに接続された、２個の吸引ノズル２１が間隔をおいて下向きに取付けられている。
【００１３】
また前記袋前進部１０は図２に示すように、基台２３の上部にヒンジ２４を介して回動板２５が取付けられ、この先端側下方に昇降シリンダー２６が取付けられ、回動板２５が上下に回動するように支持されている。この回動板２５の上面には前後進シリンダー３１が取付けられている。この前後進シリンダー３１の先端にＬ形に折曲したスライド板２７が前後進自在に取付けられ、この上部に押圧突起２８が突設され、栽培袋３の後端を押して前進させる押圧部２９が形成されている。またスライド板２７の下部には回動板２５に接続された平板３０が取付けられている。
【００１４】
更に回動板２５にはブラケット３２を介して軸受３３が取付けられ、ここに回転軸３４が軸支され、ここに回転板３５が取付けられている。この回転板３５の底面に突設した丸棒４０は、前記ブラケット３２に取付けたコイルスプリング３６に連結されて引張され、回転板３５の先端は平板３０の端部底面に当接して、常時矢印方向に回転しようとしている。また回転板３５の上方にはストッパー３７が取付けられ、上昇する回転板３５を大きく回転させるようになっている。また袋前進部１０の右側板となる可動側板３８が、昇降シリンダー３９に取付けられ、栽培袋３を排出する時に可動側板３８が下降するようになっている。
【００１５】
また前記袋搬送開口部１１は、図２に示すように、昇降シリンダー４１の上部に横動シリンダー４２が水平に接続され、これと直交して前後進シリンダー４３が接続されている。この前後進シリンダー４３の上部には、中空角筒状の固定吸引アーム４４ａと可動吸引アーム４４ｂが取付けられている。この固定吸引アーム４４ａと可動吸引アーム４４ｂは図示しない吸引ブロアーにホースを介して接続されていると共に、対向する側面に吸引孔４５が開孔され栽培袋３を挟持すると共に、吸引して開口部を広げるようになっている。
【００１６】
また前記オガ詰め機１の定量供給部４は図１に示すように、オガタンクから、コンベアーで搬送されてきたオガ２を貯めるホッパー４８の下部に定量升４９が横動シリンダー５０により左右に横動するようになっている。またこの定量供給部４の横に設けられたオガ押し込め部５は、昇降シリンダー５１の下部に可動押え枠５２が取付けられ、ここを下方に貫通して４本の押し込め棒５３が突出し、ここに取付けたコイルスプリング３６により可動押え枠５２を弾性的に支持している。またオガ押し込め部５の下部には固定フック５４と、横動シリンダー５５に取付けた可動フック５７が取付けられ栽培袋３の開口部を広げて保持するようになっている。
【００１７】
またこのオガ押し込め部５の下方には栽培袋３を載せる載置板５８が設けられ、これを囲むように上下が開口した箱状のガイド枠５９が設けられ、これは昇降シリンダー６０により昇降自在に支持されている。またこの載置板５８の横にはローラコンベア６１が設けられている。
【００１８】
上記構成のオガ詰め機の袋供給装置は、先ず図１に示すように、袋ストック部８の底板１４の上に複数枚の栽培袋３を積み重ねておく。次に昇降シリンダー１９を伸出させて、ブラケット２０に取付けた２本の吸引ノズル２１を一番上の栽培袋３に吸着させてから昇降シリンダー１９を収縮させて栽培袋３を水平に上昇させ、この後、横動シリンダー１８が伸出して栽培袋３を袋前進部１０まで搬送する。この袋前進部１０で図２に示すように、昇降シリンダー１９が伸出して、栽培袋３を、スライド板２７と平板３０および回転板３５の上に載せてから、吸引を解除し、吸引ノズル２１を袋ストック部８に復帰させる。
【００１９】
この後、袋前進部１０では昇降シリンダー２６が伸出してヒンジ２４を回動支点として回動板２５が上方に回動する。この時、回動板２５の上面に取付けた前後進シリンダー３１が収縮してスライド板２７が平板３０の上をスライドし、スライド板２７に突設された押圧突起２８により栽培袋３の後端が押されて前進する。
【００２０】
この時、回転板３５の軸受３３を支持する回転軸３４はブラケット３２を介して回動板２５に接続されているので、回転板３５は回動板２５と一体に上昇するが、図３に示すようにストッパー３７が回転板３５の端部側に当接しているので、上昇する回転板３５は大きく回転する。この結果、栽培袋３の先端側の開口部は、回転板３５により大きく上方に曲げられる。
【００２１】
この後、袋搬送開口部１１の横動シリンダー４２が伸出して、これに取付けた前後進シリンダー４３と固定吸引アーム４４ａ、可動吸引アーム４４ｂが袋前進部１０に移動してくる。この後、前後進シリンダー４３が作動して可動吸引アーム４４ｂが移動し、栽培袋３の上部開口部を両側から吸引しながら挟持する。この後、昇降シリンダー２６が収縮して回動板２５が下降すると共に、昇降シリンダー３９が収縮して可動側板３８が下降して、スライド板２７の右側が解放される。
【００２２】
この後、横動シリンダー４２が伸出して、固定吸引アーム４４ａと可動吸引アーム４４ｂに挟持された栽培袋３がオガ押し込め部５まで搬送されてくる。ここで前後進シリンダー４３が作動して可動吸引アーム４４ｂが後退すると、図５に示すように、ここに吸引されていた栽培袋３の開口部が広げられる。またこれと同時に昇降シリンダー４１が伸出して、栽培袋３の開口部が広げられた状態で上昇し、図４に示すように開口部の内側に、固定フック５４と可動フック５７が挿入される。
【００２３】
次に吸引アーム４４ａと可動吸引アーム４４ｂの吸引が停止されて、横動シリンダー４２が収縮すると共に昇降シリンダー４１が収縮して、吸引アーム４４ａと可動吸引アーム４４ｂが復帰する。これと同時に横動シリンダー５５が収縮して可動フック５７が後退し、これと固定フック５４とで栽培袋３が保持される。
【００２４】
次にガイド枠５９に取付けた昇降シリンダー６０が伸出して、ガイド枠５９が上昇し、載置板５８の上に載せた栽培袋３を囲む。この後、定量供給部４の横動シリンダー５０が伸出してオガ２が一定量詰められた定量升４９がオガ押し込め部５に移動し、図４に示すように開口した定量升４９の底部から栽培袋３内にオガ２が落下する。栽培袋３内にオガ２が投入されると、図６に示すようにオガ詰め機１の昇降シリンダー５１が伸出して、可動押え枠５２が下降して栽培袋３内のオガ２を押し込める。
【００２５】
この時、可動押え枠５２はコイルスプリング３６で弾性的に支持され、押し込め棒５３が挿入されて、強く押し込めることができる。昇降シリンダー５１が上昇した後、昇降シリンダー６０が収縮してガイド枠５９が下降し、オガ２を詰めた栽培袋３をローラコンベア６１に載せて搬出する。
【００２６】
なお前記袋ストック部８に積んだ栽培袋３が搬出されると、モータ１５が回転し、ギア１６を介してボールねじ１７が上昇し、底板１４に載せた栽培袋３が上昇していく。以下、同様の動作を連続して繰り返すことにより、自動的に栽培袋３をオガ詰め機１に搬送して、ここで栽培袋３の開口部を広げてオガ２を自動的に詰めることができる。
【００２７】
従って本発明のオガ詰め機の袋供給装置は、自動的にオガを詰められるので、１人で作業することができ、従来のオガ詰め機１のように栽培袋３を手に持って広げてセットする必要がなく、作業性を大幅に向上させることができる。
【図面の簡単な説明】
【００２８】
【図１】本発明の実施の一形態によるオガ詰め機の袋供給装置の正面図である。
【図２】図１の袋前進部を拡大して示す側面図である。
【図３】図２の回動板が回動した状態を示す袋前進部の側面図である。
【図４】オガを栽培袋に詰めている状態を示すオガ詰め機の正面図である。
【図５】栽培袋を広げてオガ押し込め部にセットした状態を示す縦断側面図である。
【図６】栽培袋に投入したオガを可動押え枠で押し込めている状態を示す縦断側面図である。
【符号の説明】
【００２９】
１      オガ詰め機                                          
２      オガ                                                
３      栽培袋                                              
４      定量供給部                                          
５      オガ押し込め部                                      
７      袋供給部                                            
８      袋ストック部                                        
９      袋搬送部                                            
１０    袋前進部                                            
１１    袋搬送開口部                                        
１３    底板                                                
１８    横動シリンダー                                      
１９    昇降シリンダー                                      
２０    ブラケット                                          
２１    吸引ノズル                                          
２４    ヒンジ                                              
２５    回動板                                              
２６    昇降シリンダー                                      
２７    スライド板                                          
２８    押圧突起                                            
２９    押圧部                                              
３０    平板                                                
３１    前後進シリンダー                                    
３４    回転軸                                              
３５    回転板                                              
３６    コイルスプリング                                    
３７    ストッパー                                          
３８    可動側板                                            
４１    昇降シリンダー                                      
４２    横動シリンダー                                      
４３    前後進シリンダー                                    
４４ａ  固定吸引アーム                                      
４４ｂ  可動吸引アーム                                      
４５    吸引孔                                              
４８    ホッパー                                            
４９    定量升                                              
５０    横動シリンダー                                      
５１    昇降シリンダー                                      
５２    可動押え枠                                          
５３    押し込め棒                                          
５４    固定フック                                          
５５    横動シリンダー                                      
５７    可動フック                                          
５８    載置板                                              
５９    ガイド枠                                            
６０    昇降シリンダー                                      
【図１】
0004619205.tif 000002
【図２】
0004619205.tif 000003
【図３】
0004619205.tif 000004
【図４】
0004619205.tif 000005
【図５】
0004619205.tif 000006
【図６】
0004619205.tif 000007